(57)【特許請求の範囲】
【請求項１】
ストレーナ内部に取り付けて使用される洗浄剤入り洗浄具であって、
水溶性の固形洗浄剤と、
前記洗浄剤を収容する内部空間が形成され、側部及び下部の少なくとも一方に前記収容空間に連通する通水口を備えた容器本体と、
前記容器本体と別体で成形され、該容器本体に設けた案内部により上下にスライド可能に一体化される吊り下げ部材であって、前記ストレーナの把手等の開口部位に掛止されるフック部を上端側に備え、且つ、前記容器本体に設けた係止部に係合し、これにより洗浄剤を収容した当該容器本体をストレーナ内部における所定の深さ位置に維持させる係合部を、上下のスライド方向に沿って複数設けてなる吊り下げ部材とを備え、
容器本体の側部外面に突出する抱持片により前記案内部を構成し、この抱持片により前記吊り下げ部材を上下にスライド可能に支持一体化させるとともに、当該側部の外面における前記抱持片より離れた位置で且つ前記吊り下げ部材が当接する部位に係止部を設け、この係止部に係合する係合部を前記吊り下げ部材の対応する当接面に設けてなる洗浄剤入り洗浄具。
【発明の詳細な説明】
【０００１】
【発明の属する技術分野】
本発明は、流し台の排水口等のストレーナに付着するヌメリ、黒ずみ、悪臭、バイ菌等を除去するための洗浄剤入り洗浄具に関する。
【０００２】
【従来の技術】
この種の洗浄剤入り洗浄具は、例えば実開平７−４２８１４号公報や特開平８−１２８０９０号公報に開示されており、トリクロロイソシアヌル酸を主成分とした洗浄剤を収容した容器本体を吊り紐でストレーナの把手に吊り下げ、容器本体に設けた通水口を通じて排水を内部に取り込み、洗浄剤から溶出した洗浄液を拡散させてストレーナに付着したヌメリ等を除去するものである。
【０００３】
【発明が解決しようとする課題】
ところで、これら洗浄具は２０〜４０日程度で新品に取り替える必要があるが、吊り紐を把手に着脱させる作業は非常に煩雑であり、結ぶ際にはユーザが容器本体を手に持って上下左右に振るため、通水口からこぼれ出た洗浄剤が当該ユーザの手指に付着して肌が荒れる等の問題があった。
【０００４】
また、容器本体がストレーナ内のあまりに上方に位置していると、排水が殆ど当たらず、充分な洗浄効果を発揮しない不都合な事態が生じ、その逆に、容器本体がストレーナ内のあまりに下方に位置していると、ストレーナの上部に溶出した洗浄剤が行き渡らず、ストレーナ上部が洗浄できないといった不都合な事態が生じる。
【０００５】
本発明は係る現況に鑑み為されたものであり、容易且つ安全にストレーナに着脱されるとともに、ストレーナ内部の適切な深さ位置に保持され、充分な洗浄効果を発揮できる洗浄剤入り洗浄具を提供せんとするものである。
【０００６】
【課題を解決するための手段】
すなわち本発明は、ストレーナ内部に取り付けて使用される洗浄剤入り洗浄具であって、水溶性の固形洗浄剤と、前記洗浄剤を収容する内部空間が形成され、側部及び下部の少なくとも一方に前記収容空間に連通する通水口を備えた容器本体と、前記容器本体と別体で成形され、該容器本体に設けた案内部により上下にスライド可能に一体化される吊り下げ部材であって、前記ストレーナの把手等の開口部位に掛止されるフック部を上端側に備え、且つ、前記容器本体に設けた係止部に係合し、これにより洗浄剤を収容した当該容器本体をストレーナ内部における所定の深さ位置に維持させる係合部を、上下のスライド方向に沿って複数設けてなる吊り下げ部材と、より構成した洗浄剤入り洗浄具を提供する。
【０００７】
このような洗浄剤入り洗浄具にあっては、吊り下げ部材に設けた前記係合部を容器本体の係止部に係合させることにより、当該吊り下げ部材の延出長さを複数段階に調節し、洗浄剤を収容した容器本体をストレーナの適切な深さ位置に保持させることができ、これにより前記通水口を通じて排水を効率良く内部流通させることができ、溶出した洗浄液によりストレーナのヌメリ等を確実に除去できるのである。
また、前記吊り下げ部材は容器本体と別体で成形され、その先端にフック部が設けられているため、上述したように、吊り下げ部材の長さを調節した洗浄具をワンタッチでストレーナの把手等に吊り下げることができ、洗浄剤が手に付着する心配もない。
【０００８】
ここで、容器本体の側部外面に突出する抱持片により前記案内部を構成し、この抱持片により前記吊り下げ部材を上下にスライド可能に支持一体化させるとともに、当該側部の外面における前記吊り下げ部材が当接する部位に係止部を設け、この係止部に係合する係合部を前記吊り下げ部材の対応する当接面に設けたものでは、前記抱持片により支持された吊り下げ部材の係合部を、容器本体の係止部に係合させることにより、比較的簡単な構造で位置調節機能を容易に実現することができる。
【０００９】
そして、前記係止部を吊り下げ部材に当接する突出片により構成し、この突出片に係止される係合凸部又は係合凹部を前記吊り下げ部材の対応する当接面に設けたものが好ましい実施例であり、ユーザによる長さ調節の操作も容易となる。
【００１０】
さらに、吊り下げ部材の下端側に、前記案内部の下端縁に係止される係合爪を設けたものでは、該係合爪により吊り下げ部材の案内部からの抜け落ちが防止されるとともに、当該係合により洗浄剤を収容した容器本体が吊り下げ部材の最下部に保持され、ストレーナの深い場所に位置固定される。
【００１１】
また、吊り下げ部材の上端側に備えるフック部を、合成樹脂製のストレーナに設けられる厚肉の把手に掛止可能な幅広な形状に構成したものでは、汎用性が向上する。
【００１２】
また、吊り下げ部材の上端側に備えるフック部を、金属製のストレーナに設けられる細線の把手を側方から抱持し、これに掛止可能な略Ｕ字形状に構成したものであっても良い。
【００１３】
更に、吊り下げ部材の長手方向に沿った途中部に、基端側と上端側を折り畳み可能に連結するヒンジ部を設けるとともに、該ヒンジ部で折畳んだ上端側を基端側に係合させる係合部を設け、ストレーナの把手を挾持する前記ヒンジ部によりフック部を構成したものでは、当該洗浄具を安定して取り付けることができる。
【００１４】
また、本発明は、ストレーナ内部に取り付けて使用される洗浄剤入り洗浄具であって、水溶性の固形洗浄剤と、前記洗浄剤を収容する内部空間が形成され、側部及び下部の少なくとも一方に前記収容空間に連通する通水口を備えた容器本体と、前記容器本体と一体的に樹脂成型される上方に延びた吊り下げ部であって、その途中部で折り返した上端側を基端側に係合させる係合部を、長手方向に間隔を置いて複数設けてなる吊り下げ部と、より構成した洗浄剤入り洗浄具をも提供する。
【００１５】
このような洗浄剤入り洗浄具にあっては、吊り下げ部の途中部で折り返したその先端側を基端側の適宜な位置に係合させることにより、ストレーナの深さに応じて吊り下げ部の上方への延出長さを容易に調節することができ、取り付けと取り外しが困難な従来の吊り紐を使用することなく、良好な洗浄効果を奏するストレーナ内部の適切な深さ位置に容器本体を触ることなくワンタッチで保持可能としたものである。
【００１６】
また、前記容器本体として、前記洗浄剤を側方から収容する収容口を備えた左右一対の分割容器と、これら分割容器の互いに対応する収容口縁部に設けられ、双方の分割容器が折曲自在に連結される薄肉のヒンジ部と、前記収容口が互いに閉塞される分割容器の閉塞姿勢を保持するための嵌合手段と、より構成される合成樹脂の一体成形品を用いてなるものでは、部品点数が低減され、容器本体をより低コストで供給することができる。
【００１７】
【発明の実施の形態】
次に、本発明の実施形態を添付図面に基づき詳細に説明する。
【００１８】
図１は、本発明に係る洗浄剤入り洗浄具の使用状態を示す説明図であり、図１〜９は本発明の洗浄剤入り洗浄具における第１実施形態、図１０は参考例を示し、図中符号１は洗浄具、２は容器本体、３は吊り下げ部材、４は洗浄剤をそれぞれ示している。
【００１９】
本発明に係る洗浄剤入り洗浄具１は、図１に示すように、例えば流し台の排水口に設けられるストレーナＳの内部に取り付けて使用され、容器本体２より溶出した洗浄剤４によって前記ストレーナＳに付着するヌメリや黒ずみ、悪臭、バイ菌等を除去するものであり、第１実施形態に係る洗浄具にあっては、図２及び図３に示すように、水溶性の固形洗浄剤４と、この洗浄剤４を収容する内部空間４０が形成され、前記収容空間４０に連通する通水口５、・・・を備えた容器本体２と、前記容器本体２と別体で成形され、該容器本体２に設けた案内部６により上下にスライド可能に一体化される吊り下げ部材であって、前記ストレーナＳの把手ｈ等の開口部位に掛止されるフック部７を上端側に備え、且つ、前記容器本体２に設けた係止部８に係合し、これにより洗浄剤４を収容した当該容器本体２をストレーナＳ内部の所定の深さ位置に維持させる係合部９、・・・を上下のスライド方向に沿って複数備えた吊り下げ部材３とより全体構成されることにより、ストレーナＳの深さに応じて吊り下げ部材３の上方への延出長さを容易に調節することができ、取り付けと取り外しが困難な従来の吊り紐を使用することなく、良好な洗浄効果を奏するストレーナＳ内部の適切な深さ位置に、洗浄剤４を収容した容器本体２を保持可能としたものである。
【００２０】
尚、容器本体２に収容される固形洗浄剤４としては、ジクロロイソシアヌル酸ナトリウムやトリクロロイソシアヌル酸（有機さらし粉）、１−ブロモ−３−クロロ−５、５−ジメチルヒダントイン等の殺菌、消毒剤の一種又は二種以上組み合わせたものを主成分とする従来からの洗浄剤を、容器内部に収納できる大きさの錠剤に形成したものが適宜使用できるが、強い塩素臭を生じることなく、人体にも実害がないため安心して使用できるとともに、臭気、金属への腐食性、毒性、熱湯との混合、洗剤との混合等の観点からは、ジクロロイソシアヌル酸ナトリウムと溶解調整剤他から調整されたものを使用することが適している。
【００２１】
前記洗浄剤４を収容する容器本体２は、図４（ａ）及び（ｂ）に示すように、前記洗浄剤を側方から収容する収容口２１ａ、２２ａを備えた左右一対の分割容器２１、２２で構成され、これら分割容器の互いに対応する収容口縁部２１ｂ、２２ｂ間には薄肉のヒンジ部２３が渡設され、このヒンジ部を介して双方の分割容器２１、２２が互いに折曲自在に連結されている。
【００２２】
容器本体２は、分割容器２１、２２及びヒンジ部２３の全体が一体的に樹脂成型されており、この一体成型に用いる合成樹脂としては、ポリプロピレン樹脂、ポリエチレン樹脂等が好ましく、中でも塩素に強くこしがあり、耐久性に優れたポリプロピレン樹脂を用いることが望ましい。
【００２３】
各分割容器２１、２２には、収容口２１ａ、２２ａを互いに閉塞して、内部の洗浄剤を取り出し不能に収容してなる閉塞姿勢を安定保持するための嵌合手段２ｃ、・・・が設けられており、具体的には、一方の分割容器２１の底壁２１ｇ内面に突設され、収容口２１ａより延出する嵌合突部２４と、これに対応して他方の分割容器２２に設けられ、前記嵌合突部２４を受け入れる嵌合凹部２５が形成されており、更に、一方の分割容器２１の収容口２１ａの縁部に突設される爪片２６、２６と、これに対応して他方の分割容器２２に設けられ、前記爪片に係止される係合凹部２７、２７が形成されている。
【００２４】
また、洗浄剤を収容した閉塞姿勢において容器本体の側部２ｆとなる各分割容器の底壁２１ｇ、２２ｇには、容器外部から内部の収容空間４０に連通する通水口５として複数の長孔５０、・・・、並びに円形孔５１、・・・が設けられており、更に、容器本体の下部２ｅ、並びに上部２ｄとなる分割容器側壁２ｆ、２ｆの所定部位には、それぞれ同じく通水口５として複数のスリット状の長孔５２、５３、・・・が設けられている。
【００２５】
これら通水口５、・・・は、図５（ａ）及び（ｂ）にも示すように、ストレーナに取り付けた当該洗浄具１の内部に排水を流通させ、この排水により洗浄剤から溶出した洗浄液をストレーナ内面に排出するためのものであり、容器本体２が排水に浸らなくても、上部２ｄ及び側部２ｆに設けた５０、５１、５２、・・・によりストレーナの内壁面を伝う排水等を確実に内部へ取り込むことができる機能を奏し、下部２ｅに設けた５３、・・・は、前記５０、５１、５２から進入した排水を容器本体２の底に溜めることなく迅速に排出し、滞留する排水により洗浄剤が過剰に溶解されてしまう事態を未然に回避する機能を奏している。尚、これら排水口５、・・・は、それぞれ外部から人の指が入らず、容器内部の洗浄剤にユーザの手指が触れる恐れがない寸法に設定されることが安全上好ましい。
【００２６】
また、各分割容器の底壁２１ｇ、２２ｇには、洗浄剤の収容位置の周囲に沿って複数のリブ２８、・・・が突設されており、収容される洗浄剤を安定保持するとともに、分割容器の側壁２１ｈ、２２ｈから離間した位置に洗浄剤を位置させることにより、容器側部或いは底に滞留した排水により洗浄剤が過剰に溶解されてしまう事態を未然に回避する機能を奏している。
【００２７】
なお、本実施形態の容器本体２は、互いに連設された左右の分割容器２１、２２により構成されているが、上下或いは斜め方向に分割された分割容器を用いて構成しても良く、また、ヒンジ部２３を構成する代わりに、独立に成形された分割容器を互いに嵌合させる形態のものを採用しても良い。
【００２８】
容器本体２の側部２ｆ外面における上方部位には、吊り下げ部材３を上下スライド可能に一体化させる案内部６として、前記吊り下げ部材３を挿通させる案内孔６ａを備えた抱持片６０が突設されており、この抱持片６０を介して容器本体２と吊り下げ部材３とが一体化した洗浄容器１０が構成されている。
【００２９】
前記抱持片６０よりも上方で且つ前記吊り下げ部材３が当接する部位には、係止部８として突出片８０が設けられ、前記吊り下げ部材３の当接面には、これに対応する係合部９として前記突出片８０に係合される複数の係合凸部９０、・・・が上下スライド方向に沿った所定の位置にそれぞれ設けられている。
【００３０】
図１〜３では、スライド方向に沿って三箇所に設けられた係合凸部９０、・・・のうち、最下に突設した係合凸部９０に前記突出片８０を係合させ、洗浄剤を収容した容器本体２がストレーナの適切な位置に吊り下げ保持される状態を示しているが、例えば、本実施形態の洗浄具をより浅いストレーナに使用する場合にあっては、図６（ａ）に示すように、二段目の係合凸部９０に前記突出片８０を係合させ、前記した状態よりも吊り下げ部材３の突出長さを短くした状態で当該ストレーナの適切な深さ位置に吊り下げ保持させることが可能となる。
【００３１】
また、吊り下げ部材３の下端側には、前記抱持片６０の下端縁６０ａに係止される係合爪３０が設けられており、この係合爪３０は、図６（ｂ）に示すように、洗浄剤を収容した容器本体２を当該吊り下げ部材３の最下部に保持し、ストレーナの深い場所に位置させる際の係合部９として機能し、一方の案内部６としての抱持片６０の下端縁６０ａは、これに対応する係止部８として機能するのである。
【００３２】
また、販売、流通時においては、容器本体２から吊り下げ部材３が延出しないコンパクトな状態が好ましいが、本実施形態の洗浄具１では、図６（ｃ）に示すように、フック部３近傍の最上に突設された係合凸部９０に前記突出片８０を係合させ、容器側部２ｆの外面に沿って吊り下げ部材３を収納した状態とすることが可能である。
【００３３】
尚、本実施形態に係る吊り下げ部材３の長さは、図６（ｃ）に示す収納時において全体がコンパクト化されるよう、容器本体２の縦寸法に合わせて成形されているが、より長尺な吊り下げ部材を採用し、深いストレーナに対応可能としたものも好ましい実施例である。
【００３４】
また、図７に示すように、係合凸部９０、・・・が突出片８０に係合する際、同時に前記抱持片６０の下端縁６０ａに係合する係合凸部９１、・・・を吊り下げ部材３に設けておくことも好ましい実施例である。これにより吊り下げ状態がより安定化されることになる。
【００３５】
図１〜６で示した本実施形態の吊り下げ部材３では、係合凸部９０が三箇所に設けられているが、より多くの係合凸部を設けることで更に詳細な高さ調節を可能としたものも好ましく、図８に示すように、複数の係合凸部９０、・・・をスライド方向に沿って連続して形成したものも好ましい実施例である。
【００３６】
そして、吊り下げ部材３の上端側に備えられるフック部７は、合成樹脂製のストレーナに設けられる厚肉の把手に対応可能な幅広な形状に構成されており、当該フック部７を含め、吊り下げ部材３の全体が一体的に樹脂成型されている。
使用される合成樹脂は、上述した容器本体の成形に用いる樹脂と同様、ポリプロピレン樹脂やポリエチレン樹脂等が好ましく、特にポリプロピレン樹脂が望ましいが、可塑剤を用いてより柔軟で可撓性ある部材に構成することも好ましい実施例である。
【００３７】
図９（ａ）は、吊り下げ部材３の上端側に備えるフック部７を、金属製のストレーナに設けられる細線の把手ｈを側方から抱持し、これに掛止可能な略Ｕ字形状に構成した変形例である。このように側方に開放したフック部７を構成すれば、取り付け並びに取り外しが容易となり、使い勝手が向上する。
【００３８】
図９（ｂ）は、吊り下げ部材３の長手方向に沿った途中部に、基端側と上端側を折り畳み可能に連結するヒンジ部７０が設けられるとともに、該ヒンジ部７０で折畳んだ上端側の係合凸部３１を基端側に係合させる係合部３ｄとしての係合凹部３２を設け、ストレーナの把手を挾持する前記ヒンジ部７０によりフック部を構成したものでは、当該洗浄具を安定して取り付けることができる。
【００３９】
次に、図１０に基づき本発明の参考となる例を説明する。
【００４０】
本参考例の洗浄剤入り洗浄具１Ａは、上記した第１実施形態の容器本体２と一体的に樹脂成型された吊り下げ部３Ａが上方に延設されており、当該吊り下げ部３Ａには、その途中部３ｂで折り返された上端側３ａの係合凸部３１を基端側３ｃに係合させる係合部３ｄとしての係合凹部３２、・・・が、長手方向に間隔を置いて複数設けられている。このような洗浄具１Ａでは、上述の第１実施形態の洗浄具と同様、ストレーナの深さに応じて吊り下げ部の上方への延出長さを容易に調節することができ、取り付けと取り外しが困難な従来の吊り紐を使用することなく、良好な洗浄効果を奏するストレーナ内部の適切な深さ位置に容器本体を触ることなくワンタッチで保持可能としたものである。
【００４１】
尚、図示しないが、このような容器本体２と一体的に樹脂成型された吊り下げ部の長手方向に沿った途中部に、図９（ｂ）で示したものと同様、基端側と上端側を折り畳み可能に連結するヒンジ部を所定間隔を置いて複数設けるとともに、該ヒンジ部で折畳んだ上端側を基端側に係合させる係合部を対応する部位に複数設けてなるものも好ましい例である。
【００４２】
本発明は、容器本体や吊り下げ部材の寸法、形状、収容される洗浄剤の数、大きさはもとより、容器本体に設ける係止部の構成、吊り下げ部材を上下にスライド可能に一体化させる案内部の構成、吊り下げ部材に設ける係合部の構成等については、本実施形態で示したものに何ら限定されるものではなく、適宜その他の形態が採用できることは言うまでもない。
【００４３】
【発明の効果】
以上のように、本発明の洗浄剤入り洗浄具によれば、吊り下げ部材に設けた前記係合部を容器本体の係止部に係合させることにより、当該吊り下げ部材の延出長さを複数段階に調節し、洗浄剤を収容した容器本体をストレーナの適切な深さ位置に保持させることができ、これにより前記通水口を通じて排水を効率良く内部流通させることができ、溶出した洗浄液によりストレーナのヌメリ等を確実に除去できるのである。
【００４４】
また、前記吊り下げ部材は容器本体と別体で成形され、その先端にフック部が設けられているため、上述したように、吊り下げ部材の長さを調節した洗浄具をワンタッチでストレーナの把手等に吊り下げることができ、洗浄剤が手に付着する心配もない。
【００４５】
また、容器本体の側部外面に突出する抱持片により前記案内部を構成し、この抱持片により前記吊り下げ部材を上下にスライド可能に支持一体化させるとともに、当該側部の外面における前記吊り下げ部材が当接する部位に係止部を設け、この係止部に係合する係合部を前記吊り下げ部材の対応する当接面に設けたので、前記抱持片により支持された吊り下げ部材の係合部を、容器本体の係止部に係合させることにより、比較的簡単な構造で位置調節機能を容易に実現することができる。
【００４６】
また、前記係止部を吊り下げ部材に当接する突出片により構成し、この突出片に係止される係合凸部又は係合凹部を前記吊り下げ部材の対応する当接面に設けたので、ユーザによる長さ調節の操作も容易となる。
【００４７】
また、吊り下げ部材の上端側に備えるフック部を、合成樹脂製のストレーナに設けられる厚肉の把手に掛止可能な幅広な形状に構成したので、汎用性が向上する。
【００４８】
また、吊り下げ部材の上端側に備えるフック部を、金属製のストレーナに設けられる細線の把手を側方から抱持し、これに掛止可能な略Ｕ字形状に構成したので、使い勝手が向上する。
【００４９】
また、吊り下げ部材の長手方向に沿った途中部に、基端側と上端側を折り畳み可能に連結するヒンジ部を設けるとともに、該ヒンジ部で折畳んだ上端側を基端側に係合させる係合部を設け、ストレーナの把手を挾持する前記ヒンジ部によりフック部を構成したものでは、当該洗浄具を安定して取り付けることができる。
【００５０】
また、容器本体と一体的に樹脂成型される上方に延びた吊り下げ部であって、その途中部で折り返した上端側を基端側に係合させる係合部を、長手方向に間隔を置いて複数設けてなる吊り下げ部より構成したものでは、同じくストレーナの深さに応じて吊り下げ部の上方への延出長さを容易に調節することができ、取り付けと取り外しが困難な従来の吊り紐を使用することなく、良好な洗浄効果を奏するストレーナ内部の適切な深さ位置に容器本体を触ることなくワンタッチで保持可能としたものである。
【００５１】
また、前記容器本体として、前記洗浄剤を側方から収容する収容口を備えた左右一対の分割容器と、これら分割容器の互いに対応する収容口縁部に設けられ、双方の分割容器が折曲自在に連結される薄肉のヒンジ部と、前記収容口が互いに閉塞される分割容器の閉塞姿勢を保持するための嵌合手段と、より構成される合成樹脂の一体成形品を用いてなるものでは、部品点数が低減され、容器本体をより低コストで供給することができる。
【図面の簡単な説明】
【図１】本発明の第１実施形態に係る洗浄剤入り洗浄具をストレーナ内部に取り付けた使用状態を示す説明図。
【図２】同じく洗浄剤入り洗浄具の断面図。
【図３】同じく洗浄剤入り洗浄具の斜視図。
【図４】（ａ）は、容器本体を構成する左右の分割容器を開成した状態を示す平面図。
（ｂ）は、同じく左右の分割容器を開成した状態を示す断面図。
【図５】（ａ）は、同じく洗浄剤入り洗浄具の上方から見た平面図。
（ｂ）は、同じく洗浄剤入り洗浄具の下方から見た底面図。
【図６】（ａ）は、吊り下げ部材の二段目の係合凸部に容器本体の突出片を係合させた使用状態を示す説明図。
（ｂ）は、吊り下げ部材の係合爪を容器本体に突設した抱持片の下端縁に係合させた使用状態を示す説明図。
（ｃ）は、フック部の近傍に突設した係合凸部に容器本体の突出片を係合させた当該吊り下げ部材の収納状態を示す説明図。
【図７】抱持片の下端縁に係止される係合凸部を設けた変形例を示す要部説明図。
【図８】係合凸部を連続形成した吊り下げ部材の変形例を示す要部説明図。
【図９】（ａ）は、フック部の変形例を示す説明図。（ｂ）は、フック部の他の変形例を示す説明図。
【図１０】  本発明の参考となる例に係る洗浄剤入り洗浄具を示す説明図。
【符号の説明】
Ｓ  ストレーナ            ｈ  把手
１、１Ａ  洗浄具          ２  容器本体
２ｃ  嵌合手段            ２ｄ  上部
２ｅ  下部                ２ｆ  側部
３  吊り下げ部材          ３Ａ  吊り下げ部
３ａ  上端側              ３ｂ  途中部
３ｃ  基端側              ３ｄ  係合部
４  洗浄剤                ５  通水口
６  案内部                ６ａ  案内孔
７  フック部              ８  係止部
９  係合部                １０  洗浄容器
２１、２２  分割容器      ２１ａ、２２ａ  収容口
２１ｂ、２２ｂ  縁部    ２１ｇ、２１ｇ  底壁
２１ｈ、２１ｈ  側壁      ２３  ヒンジ部
２４  嵌合突部            ２５  嵌合凹部
２６  爪片                ２７  係合凹部
２８  リブ                ３０  係合爪
３１  係合凸部            ３２  係合凹部
４０  収容空間            ６０  抱持片
６０ａ  下端縁            ７０  ヒンジ部
８０  突出片              ９０  係合凸部
９１  係合凸部
【図１】
0003664087.tif 000002
【図２】
0003664087.tif 000003
【図３】
0003664087.tif 000004
【図４】
0003664087.tif 000005
【図５】
0003664087.tif 000006
【図６】
0003664087.tif 000007
【図７】
0003664087.tif 000008
【図８】
0003664087.tif 000009
【図９】
0003664087.tif 000010
【図１０】
0003664087.tif 000011